(57)【特許請求の範囲】
【請求項１】
用紙を集積して形成される用紙束の背面に、熱溶融性の接着剤を塗布して製本する製本装置に用いる接着剤補給装置であって、
前記接着剤を貯留する接着剤貯留容器と、
内部が空洞の筒状部材で形成され、前記接着剤貯留容器から前記接着剤を一定量取り出す定量枡部材と、
前記接着剤貯留容器の底部から前記接着剤貯留部容器内の接着剤上限位置を越える高さまで、前記定量枡部材を上下動させる移動手段と、
前記定量枡部材の内部の任意の位置に設けられ、前記接着剤を通過または阻止するために開閉する開閉板と、
前記開閉板を開閉動作させる開閉手段と、
前記定量枡部材を通過する前記接着剤を検知する検知センサと、
前記検知センサが検知した信号に基づいて、少なくとも前記開閉手段を制御する制御手段と、
を有することを特徴とする接着剤補給装置。
【請求項２】
前記制御手段は、前記定量枡部材が前記移動手段により上下動するときは、前記定量枡部材における前記接着剤の通過を前記開閉板が阻止するように、前記開閉手段を制御することを特徴とする請求項１に記載の接着剤補給装置。
【請求項３】
前記制御手段は、前記定量枡部材が前記接着剤上限位置を越える高さまで上昇した後一旦停止させ、前記開閉板を開いて前記接着剤を通過させた後、所定時間経過後に前記定量枡部材を下降させるように、前記移動手段を制御することを特徴とする請求項１または２に記載の接着剤補給装置。
【請求項４】
前記制御手段は、所定回数に達するまで前記開閉板の開閉動作を行うように、前記開閉手段を制御することを特徴とする請求項１乃至３の何れか１項に記載の接着剤補給装置。
【請求項５】
前記接着剤を溶融する接着剤溶融手段を有し、
前記定量枡部材の空洞は、前記接着剤溶融手段に連通する接着剤供給経路を成していることを特徴とする請求項１乃至４の何れか１項に記載の接着剤補給装置。
【発明の詳細な説明】
【技術分野】
【０００１】
本発明は、用紙束の背面に接着剤を塗布して製本する製本装置に用いる接着剤補給装置に関する。
【背景技術】
【０００２】
製本装置にペレット状の熱溶融性の接着剤（ホットメルト接着剤という）を補給する接着剤補給装置に関し、過酷な使用環境に長時間使用された場合、接着剤同士の接触部が癒着し、接着剤の流動性が低下して接着剤を溶融する接着溶融手段に規定量の接着剤が供給できず、接着剤量不足による製本不良という問題が生じる。
【０００３】
このような接着剤貯留容器の出口付近での接着剤同士の癒着による接着剤詰まりを解決するために、特許文献１には、接着剤貯留容器の取出口と空気輸送路とをつなぐ吸引室に、間欠的に圧力空気を噴射している。そして取出口付近に詰まったホットメルト接着剤ペレットに、間欠的なパルス状の圧力波による衝撃力を断続的に繰り返し加えるとともに、ペレット同士の間にクサビ状に圧力空気を吹き込んで、ペレットの互着を効果的に解消させることができるという技術が公開されている。
【特許文献１】特開２００６−１１７３６１号公報
【発明の開示】
【発明が解決しようとする課題】
【０００４】
しかしながら、特許文献１に公開された技術はホットメルト接着剤のペレットを吸引式の空気輸送により搬送する装置であり、圧縮空気等を生成する機構など装置全体が大掛かりになり、構造的にも複雑になるという問題がある。
【０００５】
本発明の目的は、ペレット状の熱溶融性の接着剤を使用しても、適量の接着剤を供給することが可能で、かつ接着剤供給路内の接着剤詰まりを解消する簡単な構造の接着剤補給装置を提供することである。
【課題を解決するための手段】
【０００６】
上記目的は下記構成により達成できる。
１．用紙を集積して形成される用紙束の背面に、熱溶融性の接着剤を塗布して製本する製本装置に用いる接着剤補給装置であって、前記接着剤を貯留する接着剤貯留容器と、内部が空洞の筒状部材で形成され、前記接着剤貯留容器から前記接着剤を一定量取り出す定量枡部材と、前記接着剤貯留容器の底部から前記接着剤貯留部容器内の接着剤上限位置を越える高さまで、前記定量枡部材を上下動させる移動手段と、前記定量枡部材の内部の任意の位置に設けられ、前記接着剤を通過または阻止するために開閉する開閉板と、前記開閉板を開閉動作させる開閉手段と、前記定量枡部材を通過する前記接着剤を検知する検知センサと、前記検知センサが検知した信号に基づいて、少なくとも前記開閉手段を制御する制御手段と、を有することを特徴とする接着剤補給装置。
２．前記制御手段は、前記定量枡部材が前記移動手段により上下動するときは、前記定量枡部材における前記接着剤の通過を前記開閉板が阻止するように、前記開閉手段を制御することを特徴とする１に記載の接着剤補給装置。
３．前記制御手段は、前記定量枡部材が前記接着剤上限位置を越える高さまで上昇した後一旦停止させ、前記開閉板を開いて前記接着剤を通過させた後、所定時間経過後に前記定量枡部材を下降させるように、前記移動手段を制御することを特徴とする１または２に記載の接着剤補給装置。
４．前記制御手段は、所定回数に達するまで前記開閉板の開閉動作を行うように、前記開閉手段を制御することを特徴とする１乃至３の何れかに記載の接着剤補給装置。
５．前記接着剤を溶融する接着剤溶融手段を有し、前記定量枡部材の空洞は、前記接着剤溶融手段に連通する接着剤供給経路を成していることを特徴とする１乃至４の何れかに記載の接着剤補給装置。
【発明の効果】
【０００７】
本発明は、定量枡部材の内部の任意の位置に接着剤を通過または阻止する開閉板を設け、開閉板を開閉動作させることにより接着剤詰まりを解消することができる。
【発明を実施するための最良の形態】
【０００８】
本発明の実施の形態を説明する。なお、本発明を図示の実施の形態に基づいて説明するが、本発明は該実施の形態に限らない。また、以下の、本発明の実施の形態における断定的な説明は、ベストモードを示すものであって、本発明の用語の意義や技術的範囲を限定するものではない。
【０００９】
図１は、接着剤補給装置の略断面図であり、図２は定量枡部材の上面が接着剤の上限位置を越えたところ示す図である。
【００１０】
図１において、接着剤補給装置１は、ペレット状の溶融接着剤Ｇ（ホットメルト接着剤Ｇという）を貯留する接着剤貯留容器２と、内部が空洞の筒状部材で形成され、ホットメルト接着剤Ｇを一定量取り出す定量枡部材３と、ホットメルト接着剤Ｇを用紙束の背面に塗布する接着剤溶融手段６に連通する接着剤供給経路７とから構成されている。定量枡部材３は、接着剤貯留容器２の底部２０１から貯留されたホットメルト接着剤Ｇの上限Ｈ１を越える位置まで、移動手段１０により垂直に上昇下降する。
【００１１】
なお、本明細書において癒着とは、固形状態にある接着剤の表面の部分のみが、その接着剤が有する粘着力によって振動や撹拌によって容易に解消される程度に接合している状態を意味する。
【００１２】
定量枡部材３の最初の位置（ホームポジションという）は、定量枡部材３の上面３０１が接着剤貯留容器２の底部２０１以下になるようにしている。さらに、定量枡部材３の任意の位置３０２には、ホットメルト接着剤Ｇの落下を一旦阻止し、その後通過させる開閉動作可能な開閉板８が設けられている。
【００１３】
定量枡部材３は、移動手段１０によって矢印Ｘ方向に昇降移動可能となっている。１１は自由落下するホットメルト接着剤Ｇを接着剤供給経路７に導く搬送板である。
【００１４】
ここで、接着剤補給装置１の動作について説明する。
【００１５】
接着剤補給装置１は、接着剤溶融手段６内のホットメルト接着剤Ｇが少なくなると、接着剤溶融手段６内にある残量検知センサなど（不図示）からの信号が制御手段に送信され、制御手段は接着剤補給装置１にホットメルト接着剤Ｇを補給するように指示する。
【００１６】
接着剤補給装置１は、制御手段からの指示に基づいて、定量枡部材３を上方向に移動させ、定量枡部材３が接着剤貯留容器２内のホットメルト接着剤の上限Ｈ１を越える位置に到達したことを不図示の検知センサが検知してから停止する。
【００１７】
この状態のとき定量枡部材３の内容積部４（図１ハッチング部）には一定量のホットメルト接着剤Ｇが貯留される（図２参照）。開閉板８は後述するカムを介して矢印Ｙ方向へ開くようになっており、内容積部４内にあるホットメルト接着剤Ｇは、落下しながら接着剤供給経路７を通過して接着剤溶融手段６に補給される。
【００１８】
次に、定量枡部材３について図３を用いて説明する。
【００１９】
図３は定量枡部材３の分解図である。定量枡部材３は、コの字状の筒板３１とＬ字状の板カム３２が、筒板３１に設けられた長穴３４を介して段付きネジ３３によってネジ止めされている。また筒板３１と板カム３２が常に一方向に押し付けるための引っ張りバネ３５が設けられている。筒板３１には固定軸３６を支点として回転可能な開閉板８が取り付けられ、さらに開閉板８には板カム３２に設けたカム穴３７に嵌合するカム軸３８が設けられている。この状態では開閉板８は接着剤が落下しないように閉の状態になっている。
【００２０】
次に、開閉板８の開閉機構について図４を用いて説明する。図４（ａ）は、開閉板８が閉の状態を示す図であり、筒板３１が矢印Ｘ１方向に距離Ｌだけ移動して、図４（ｂ）に示すように開閉板８が開の状態になる。すなわち筒板３１が距離Ｌだけ移動することにより、カム穴３７に嵌合しているカム軸３８が回転し開閉板８の開閉動作が行われる。
【００２１】
移動手段１０は図３、図４に示すように、タイミングベルト１０１が懸架されたタイミングプーリ１０２、１０３と、タイミングプーリ１０２を駆動するモータＭ１０と、筒板３１を上下方向に移動するモータＭ１１と、これらを制御する制御手段で構成されている。タイミングベルト１０１は一部が板カム３２に固定されており、モータＭ１０の駆動により筒板３１と板カム３２が一体となった定量枡部材３が上下方向に移動する。
【００２２】
さらに板カム３２には偏芯カム１０４と、偏芯カム１０４を駆動するモータＭ１１が設けられている。偏芯カム１０４は、筒板３１に設けられたピン１０５に接触し、偏芯カム１０４が回転することにより筒板３１が偏芯の距離Ｌだけ移動する。
【００２３】
次に、制御手段について説明する。制御手段は、モータＭ１０を駆動させて開閉板８が閉じた状態で定量枡部材３を上昇させ、接着剤貯留容器２内のホットメルト接着剤上限Ｈ１を越える位置に到達したことを検知した後モータＭ１０を停止させる。さらにモータＭ１１を駆動させて筒板３１を上昇させ、開閉板８を解放する。内容積部４にあるホットメルト接着剤Ｇは自由落下により接着剤供給経路７に流れ出る。そして一定時間経過後（本実施の形態では約１秒）、定量枡部材３を下降させる。
【００２４】
しかし、開閉板８が開の状態においてホットメルト接着剤Ｇが開閉板８の出口付近で詰まってしまうケースが発生する（図５参照）。この問題を解決するために、本発明の接着剤補給装置１では内容積部４に一定量のホットメルト接着剤Ｇが貯留されている状態で、筒板３１を上下動させ、その動作に連動した開閉板８の開閉動作を行うようにしている。
【００２５】
なお本実施の形態では、開閉板８を開閉する手段としてカムをモータＭ１１で回転させる機構を用いているが、開閉板８を開閉する機構であれば特にこだわらない。例えばモータの換わりにソレノイドを用いてソレノイドのＯＮ／ＯＦＦによって開閉動作を行う機構も考えられる。
【００２６】
このように、本発明に用いる接着剤補給装置１は簡単な構造で、一定量のホットメルト接着剤Ｇを、接着剤詰まりを発生させずに接着剤溶融手段６に供給することがでる。
【００２７】
以下に、本実施の形態において接着剤補給装置の制御手段が行う動作について、図６のブロック図と、図７のフローチャートを用いて説明する。
【００２８】
図６は制御手段に入力される信号と、入力された信号に基づいてそれぞれの手段が行う動作を示すブロック図である。
【００２９】
図７は制御手段が行う動作を示すフローチャートである。制御手段は、定量枡部材３を開閉板８が閉の状態でホームポジション位置にあることを確認（ステップＳ１）し、接着剤補給装置１にホットメルト接着剤Ｇがあるかどうか残量検知センサ（不図示）からの信号により判定する（ステップＳ２）。ステップＳ２がＹｅｓのときステップＳ４に進む。ステップＳ２がＮｏのとき接着剤補給装置１にホットメルト接着剤Ｇを補給する（ステップＳ３）。モータＭ１０を駆動させて定量枡部材３を上昇させる（ステップＳ４）。ステップＳ５において、定量枡部材３が接着剤貯留容器２内のホットメルト接着剤上限Ｈ１を越える位置に到達したかどうかを不図示の検知センサからの信号を受信することによって判断する。ステップＳ５がＹｅｓのときは、定量枡部材３の上昇を停止する（ステップＳ６）。所定時間経過後、開閉板８を開く（ステップＳ７）。開閉動作を所定回数行った後（ステップＳ８）、モータＭ１１を駆動して開閉板８を閉じる（ステップＳ９）。モータＭ１０を駆動して定量枡部材３をホームポジションまで移動させて停止する（ステップＳ１０）。
【００３０】
以上のような構成を有する本発明の実施の形態である接着剤補給装置１は、ペレット状の熱溶融性の接着剤を使用しても、定量枡部材の内部の任意の位置に接着剤を通過または阻止する開閉板を設け、開閉板を開閉動作させることにより接着剤詰まりを簡単な構造で、解消する接着剤補給装置を提供することができる。
【図面の簡単な説明】
【００３１】
【図１】本発明の実施の形態を示す略断面図である。
【図２】定量枡部材の上面が接着剤の上限位置を越えたところ示す図である。
【図３】定量枡部材の分解図である。
【図４】図４（ａ）は、開閉板が閉の状態を示す図であり、図４（ｂ）は開閉板が開の状態を示す図である。
【図５】接着剤が開閉板の出口付近で詰まったところを示す図である。
【図６】制御手段に関するブロック図である。
【図７】本実施の形態の接着剤補給装置の動作を示すフローチャートである。
【符号の説明】
【００３２】
１  接着剤補給装置
２  接着剤貯留容器
３  定量枡部材
４  内容積部
６  接着剤溶融手段
７  接着剤供給経路
８  開閉板
１０  移動手段
１１  搬送板
３１  筒板
３２  板カム
３７  カム穴
３８  カム軸
１０４  偏芯カム
Ｇ  ホットメルト接着剤
【図１】
0005035098.tif 000002
【図２】
0005035098.tif 000003
【図３】
0005035098.tif 000004
【図４】
0005035098.tif 000005
【図５】
0005035098.tif 000006
【図６】
0005035098.tif 000007
【図７】
0005035098.tif 000008